(57)【要約】【課題】倍速化処理を実行可能な表示装置において、画質の向上を犠牲にすることなく、消費電力を低減することが可能な表示装置の提供を目的とする。【解決手段】映像を表示するための表示装置において、映像データーを受け入れる映像データー取得部と、受け入れた映像データーを構成する複数のフレームデーター群の動き量を検出する動き検出部と、フレームデーター間に補間フレームデーターを挿入してフレームレートを変化させる倍速化処理を行なう倍速化処理部と、フレームデーターを用いて映像を表示する表示パネルと、検出された動き量が所定の動き量を示すしきい値以上である場合は、倍速化処理したフレームデーター群により表示パネルを倍速駆動させ、検出された動き量が前記しきい値以下である場合は、表示パネルを倍速駆動させない切り替え制御部と、を有する。【選択図】図１
2011013473.tif 000002
【特許請求の範囲】
【請求項１】
映像を表示するための表示装置において、
映像データーを受け入れる映像データー取得部と、
前記受け入れた映像データーを構成する複数のフレームデーター群の動き量を検出する動き検出部と、
前記フレームデーター間に補間フレームデーターを挿入してフレームレートを変化させる倍速化処理を行なう倍速化処理部と、
前記フレームデーターを用いて映像を表示する表示パネルと、
前記検出された動き量が所定の動き量を示すしきい値以上である場合は、前記倍速化処理したフレームデーター群により前記表示パネルを倍速駆動させ、前記検出された動き量が前記しきい値以下である場合は、前記表示パネルを倍速駆動させない切り替え制御部と、を有することを特徴とする表示装置。
【請求項２】
前記動き検出部は、フレームデーターにおける動画領域の速度を前記動き量として検出することを特徴とする請求項１に記載の表示装置。
【請求項３】
前記動き検出部は、フレームデーターにおける動画領域の速度に加えて、前記動画領域の面積を検出し、
前記切り替え制御部は、前記領域の速度がしきい値以上であっても、前記面積が所定のしきい値以下である場合は、前記表示パネルを倍速駆動させないことを特徴とする請求項２に記載の表示装置。
【請求項４】
前記動き検出部は、フレームデーター間における動画領域の速度に加えて、前記フレームデーター群の輝度を検出し、
前記切り替え制御部は、前記領域の速度がしきい値以上であっても、前記輝度が所定のしきい値以下である場合は、前記表示パネルを倍速駆動させないことを特徴とする請求項２に記載の表示装置。
【請求項５】
前記動き検出部は、フレームデーター間における動画領域の速度に加えて、前記フレームデーター群のコントラストを検出し、
前記切り替え制御部は、前記領域の速度がしきい値以上であっても、前記コントラストが所定のしきい値以下である場合は、前記表示パネルを倍速駆動させないことを特徴とする請求項２に記載の表示装置。
【請求項６】
前記切り替え制御部による切り替えは、ブランク期間に同期して実行されることを特徴とする請求項１〜請求項５のいずれか一項に記載の表示装置。
【請求項７】
前記切り替え制御部は、前記検出された動き量が所定の動き量を示すしきい値以上である場合は、前記倍速化処理部に、前記フレームデーターに対して倍速化処理を実行させることを特徴とする請求項１〜請求項６のいずれか一項に記載の表示装置。
【請求項８】
映像を表示するための表示装置において、
映像データーを受け入れる映像データー取得部と、
前記受け入れた映像データーを構成する複数のフレームデーター群における動画領域の速度を動き量として検出する動き検出部と、
前記フレームデーター間に補間フレームデーターを挿入してフレームレートを変化させる倍速化処理を行なう倍速化処理部と、
前記フレームデーターを用いて映像を表示する表示パネルと、
前記検出された動き量が所定の動き量を示すしきい値以上である場合は、ブランク期間に、前記倍速化処理部に、前記フレームデーターに対して倍速化処理を実行させることで、前記倍速化処理したフレームデーター群により前記表示パネルを倍速駆動させ、前記検出された動き量が前記しきい値以下である場合は、前記倍速化処理部に、前記フレームデーターに対して倍速化処理を実行させず、前記表示パネルを倍速駆動させない切り替え制御部と、を有することを特徴とする表示装置。
【発明の詳細な説明】
【技術分野】
【０００１】
本発明は映像を表示する表示装置に関し、特に、映像データーのフレームレートを変化させることが可能な表示装置に関する。
【背景技術】
【０００２】
従来、表示装置に映像を表示するための映像データーは、６０Ｈｚにフレームレートが設定されている。そのため、表示装置は、この映像データーにより画面上で１６ｍｓ毎にフレーム画像を表示することで動画を表現している。
【０００３】
また、上記従来の映像データーに対してフレーム画像間のフレームレートを変更することにより、画質の向上を追求する処理（いわゆる「倍速化処理」）を実行可能な表示装置が開示されている（例えば、特許文献１−４参照）。これら、表示装置では、動画の動き量が従来のフレームレートに追従しない（動き量が大きい）場合に、フレームデーター間に補間フレームを挿入することでフレームレートを高くし、動画の動きを円滑に表現している。
【先行技術文献】
【特許文献】
【０００４】
【特許文献１】特開２００６−１６５９７４号公報
【特許文献２】特開２００８−１６６９６９号公報
【特許文献３】特開平１０−１９１２６８号公報
【特許文献４】特開２００１−１０３４３３号公報
【発明の概要】
【発明が解決しようとする課題】
【０００５】
倍速化処理を行なった場合、表示装置では、ドライバー及び表示パネルの駆動頻度が従来より高くなるため、装置全体での消費電力が高くなる。また、従来の倍速化処理を実行可能な表示装置では、フレームレートの変更は全てのフレームに対して適応されるため、倍速化処理を行った場合と行わない場合での消費電力の差は大きかった。
【０００６】
本発明は、上記課題にかんがみてなされたもので、倍速化処理を実行可能な表示装置において、画質の向上を犠牲にすることなく、消費電力を低減することが可能な表示装置の提供を目的とする。
【課題を解決するための手段】
【０００７】
上記課題を解決するために、本発明では、映像を表示するための表示装置において、映像データーを受け入れる映像データー取得部と、前記受け入れた映像データーを構成する複数のフレームデーター群の動き量を検出する動き検出部と、前記フレームデーター間に補間フレームデーターを挿入してフレームレートを変化させる倍速化処理を行なう倍速化処理部と、前記フレームデーターを用いて映像を表示する表示パネルと、前記検出された動き量が所定の動き量を示すしきい値以上である場合は、前記倍速化処理したフレームデーター群により前記表示パネルを倍速駆動させ、前記検出された動き量が前記しきい値以下である場合は、前記表示パネルを倍速駆動させない切り替え制御部と、を有する構成としてある。
【０００８】
上記のように構成された発明では、映像を表示するための表示装置において、動き検出部は、映像データー取得部が受け入れた映像データーを構成する複数のフレームデーター群の動き量を検出し、表示パネルは、フレームデーターを用いて映像を表示し、切り替え制御部は、検出された動き量が所定の動き量を示すしきい値以上である場合は、倍速化処理したフレームデーター群により表示パネルを倍速駆動させ、検出された動き量がしきい値以下である場合は、表示パネルを倍速駆動させない。
そのため、フレームデーター群毎の動き量により倍速駆動を切り替えるため、全てのフレームデーター群に対して倍速駆動を行なう場合に比べて、表示パネルが消費する消費電力を低減することができる。
【０００９】
また、前記動き検出部は、フレームデーター間における動画領域の速度を前記動き量として検出する構成としてもよい。
【００１０】
そして、前記動き検出部は、フレームデーター間における動画領域の速度に加えて、前記動画領域の面積を検出し、前記切り替え制御部は、前記領域の速度がしきい値以上であっても、前記面積が所定のしきい値以下である場合は、前記表示パネルを倍速駆動させない構成としてもよい。
上記のように構成された発明では、面積が小さい動画領域に対しては倍速化処理を実行しないため、効果的に消費電力を低減することができる。
【００１１】
更に、前記動き検出部は、フレームデーター間における動画領域の速度に加えて、前記フレームデーター群の輝度を検出し、前記切り替え制御部は、前記領域の速度がしきい値以上であっても、前記輝度が所定のしきい値以下である場合は、前記表示パネルを倍速駆動させない構成としてもよい。
上記のように構成された発明では、輝度が低い画像に対しては倍速化処理を実行しないため、効果的に消費電力を低減することができる。
【００１２】
また、前記動き検出部は、フレームデーター間における動画領域の速度に加えて、前記フレームデーター群のコントラストを検出し、前記切り替え制御部は、前記領域の速度がしきい値以上であっても、前記コントラストが所定のしきい値以下である場合は、前記表示パネルを倍速駆動させない構成としてもよい。
上記のように構成された発明では、コントラストが低い画像に対しては倍速化処理を実行しないため、効果的に消費電力を低減することができる。
【００１３】
そして、好ましくは、前記切り替え制御部による切り替えは、ブランク期間に同期して実行される。
上記のように構成された発明では、ブランク期間に切り替えを実行するため、ユーザーの視認性に影響を与えない。
【００１４】
また、表示パネルを倍速駆動さえる具体的な構成の一例として、前記切り替え制御部は、前記検出された動き量が所定の動き量を示すしきい値以上である場合は、前記倍速化処理部に、前記フレームデーターに対して倍速化処理を実行させる構成としてもよい。
上記のように構成された発明では、補間フレームの挿入の有無により表示パネルの倍速駆動を切り替えるため、処理回路側の消費電力も低減することができる。
【００１５】
また、本発明の他の局面として、映像を表示するための表示装置において、映像データーを受け入れる映像データー取得部と、前記受け入れた映像データーを構成する複数のフレームデーター群における動画領域の速度を動き量として検出する動き検出部と、前記フレームデーター間に補間フレームデーターを挿入してフレームレートを変化させる倍速化処理を行なう倍速化処理部と、前記フレームデーターを用いて映像を表示する表示パネルと、前記検出された動き量が所定の動き量を示すしきい値以上である場合は、ブランク期間に、前記倍速化処理部に、前記フレームデーターに対して倍速化処理を実行させることで、前記倍速化処理したフレームデーター群により前記表示パネルを倍速駆動させ、前記検出された動き量が前記しきい値以下である場合は、前記倍速化処理部に、前記フレームデーターに対して倍速化処理を実行させず、前記表示パネルを倍速駆動させない切り替え制御部と、を有する構成としてもよい。
【発明の効果】
【００１６】
以上説明したように本発明によれば、倍速化処理を実行可能な表示装置において、画質の向上を犠牲にすることなく、消費電力を低減することができる。
そして請求項３にかかる発明によれば、面積が小さい動画領域に対しては倍速化処理を実行しないため、効果的に消費電力を低減することができる。
さらに請求項４にかかる発明によれば、輝度が低い画像に対しては倍速化処理を実行しないため、効果的に消費電力を低減することができる。
また請求項５にかかる発明によれば、コントラストが低い画像に対しては倍速化処理を実行しないため、効果的に消費電力を低減することができる。
そして請求項６にかかる発明によれば、ブランク期間に切り替えを実行するため、ユーザーの視認性に影響を与えない。
更に請求項７にかかる発明によれば、補間フレームの挿入の有無により表示パネルの倍速駆動を切り替えるため、処理回路側の消費電力も低減することができる。
【図面の簡単な説明】
【００１７】
【図１】表示装置１００の構成を示すブロック構成図である。
【図２】表示装置１００の構成をより詳細に示すブロック構成図である。
【図３】一例として、フレームデーター間での「動き量」の検出を説明するためのイメージ図である。
【図４】表示装置１００が実行する倍速化処理を説明するためのフローチャートである。
【図５】図４に示すステップＳ３において切り替え制御部６０が実行する処理を説明するためのフローチャートである。
【図６】実施例２に係る表示装置１００の処理を説明するための図である。
【図７】図４に示すステップＳ３において切り替え制御部６０が実行する処理を説明するためのフローチャートである。
【図８】実施例３に係る表示装置１００の処理を説明するための図である。
【図９】図４に示すステップＳ３において切り替え制御部６０が実行する処理を説明するためのフローチャートである。
【図１０】第２の実施形態において、表示装置１００が実行する倍速駆動を説明するためのフローチャートである。
【発明を実施するための最良の形態】
【００１８】
以下、図を参照しつつ下記の順序に従って本発明の実施形態を説明する。
１．第１の実施形態：
１．１．実施例１：
１．２．実施例２：
１．３．実施例３：
１．４．実施例４：
２．第２の実施形態：
３．その他の実施形態：
【００１９】
１．第１の実施形態：
図１は、表示装置１００の構成を示すブロック構成図である。表示装置１００は、映像データーを取得し、画面上に映像を表示する装置であり、本発明に係る表示装置１００では、以下の要部を備えて構成される。
入力ＩＦ（映像データー取得部）９０は、外部から映像データーを表示装置１００内に受け入れるものである。また、動き検出部８０は、受け入れた映像データーを構成する複数のフレームデーター群の動き量を検出するものである。そして、倍速化処理部７０は、映像データーを構成するフレームデーター間に補間フレームデーターを挿入してフレームレートを変化させる処理を行なう。更に、切り替え制御部６０は、検出された動き量に応じて、表示パネル５０を倍速駆動させる。また、表示パネル５０は、処理された又は処理されない映像データーを用いて映像を表示するものである。
【００２０】
上記のように構成された表示装置１００では、切り替え制御部６０は、フレームデーター群毎の「動き量」に応じて倍速化処理部７０が実行する倍速化処理の実行の有無を変化させる。即ち、切り替え制御部６０は、フレームデーター群の「動き量」が所定の動き量を示すしきい値以上である場合は、倍速化処理部７０にフレームデーター群に対する処理を実行させ、検出された動き量がしきい値以下である場合は、フレームデーター群に対する処理を実行させない。
【００２１】
そのため、倍速化が必要なフレームデーター群に対してのみ倍速化処理を実行するため、表示パネル５０は上記場合のみ倍速駆動すればよく、従来の倍速駆動に比べて消費電力を低減することができる。更に、倍速化処理部をＩＣにより構成する場合は、処理の頻度を低減することが可能となるため、冷却用のヒートシンク等を小型にしたり、場合によっては冷却用ヒートシンクを抹消することができ、回路構成をコンパクトにすることができる。以下、本実施形態に係る各部の構成をより詳細に説明する。
【００２２】
図２は、表示装置１００の構成をより詳細に示すブロック構成図である。本実施形態では、入力ＩＦ９０は、入力端子や、所定のテレビジョン放送信号を抽出するチューナ部により構成されている。また、フレームメモリー９１は、入力ＩＦ９０が取得した映像データーを一時的に記憶する。そのため、入力端子又はチューナ部により取得された映像データーは、所定の信号処理が行われた後、フレームメモリー９１に所定フレーム毎に記憶される。
【００２３】
本実施形態での、動き検出部８０は、フレームデーター群の動き量を検出する機能を備えたＩＣにより構成される。動き検出部８０は、フレームメモリー９１と接続されており、フレームメモリー９１に記憶されたフレームデーター群から「動き量」を検出する。
ここで、動き検出部８０は、時系列に入力されるフレームデーター間を比較することでフレームデーター間の差分領域を動画領域として検出する。また、動画領域の「速度」や、この動画領域の「面積」、更には、「輝度」若しくは「コントラスト」を「動き量」のパラメーターとして検出する。
【００２４】
図３は、一例として、フレームデーター間での「動き量」の検出を説明するためのイメージ図である。図３では、連続するフレームの内、ｎ番目のフレームｎと、ｎ＋１番目のフレームとの間の差分（図３（Ｂ））を示している。即ち、フレームデーターを構成する各領域が静止画である場合は、フレームｎ＋１のデーター量からフレームｎのデーター量を引いた差分は「０」となる。一方、フレームデーターを構成する各領域が動画である場合は、フレームｎ＋１のデーター量からフレームｎのデーター量を引いた差分は「０」とはならない。そのため、上記差分が「０」とならない領域を、動画領域と見なすことが可能となる。
【００２５】
また、上記差分により動画領域の動きを検出することが可能となるため、この動き量をベクトル量により抽出することで「動画領域」の「速度」を抽出することが可能となる。更には、動画領域を判別することができれば、この動画領域の「面積」を画素の数により近似的に判断することができる。さらに、フレームデーター群の「輝度」や、「コントラスト」は、周知の技術により算出することが可能であるため、説明を省略する。
【００２６】
本実施形態での、倍速化処理部７０は、倍速化処理を行なう機能を備えたＩＣにより構成される。倍速化処理部７０は、フレームメモリー９１及び切り替え制御部６０とそれぞれ接続されており、切り替え制御部６０からの制御に応じて、フレームメモリー９１に記憶されたフレームデーター間に補間フレームデーターを挿入してフレームレートを変化させる処理を行なう。
【００２７】
本実施形態での、切り替え制御部６０は、動き検出部８０が検出した「動き量」の各パラメーターを用いて対象フレームデーター群が倍速化処理の対象となるか否かを判断する。そして、切り替え制御部６０は、上記判断結果に応じた切り替え信号を倍速化処理部７０に送信する。この切り替え信号は、倍速化処理部７０にフレームメモリー９１に記憶されたフレームデーター群に対する倍速化処理の実行の有無を切り替えさせるものである。更に、切り替え制御部６０は、切り替え信号をブランク期間に送信することで、フレームレートの変更が画質に影響を及ぼさないようにしている。
【００２８】
表示パネル５０は、映像を表示するためのパネル部５１と、このパネル部５１を構成する画素を駆動させるタイミングコントローラー５２と、ドライバー５３とで構成されている。タイミングコントローラー５２は、フレームデーターが備える同期信号に応じて、画素を駆動させるための周期を決定する。ドライバー５３は、フレームデーターから駆動電圧を生成し、タイミングコントローラー５２が生成した周期に応じて画素を駆動させる。
【００２９】
図４は、表示装置１００が実行する倍速化処理を説明するためのフローチャートである。入力ＩＦ９０は、外部から入力された映像データーを受信する（ステップＳ１）。また、入力ＩＦ９０は、受信した映像データーをデコードして、フレームデーターをフレームメモリー９１に記憶していく。
【００３０】
動き検出部８０は、フレームメモリー９１に記憶されたフレームデーター群から「動き量」を表すパラメーターを検出する（ステップＳ２）。前記したように、動き検出部８０は、フレームデーター間の差分を用いて、動き量を検出する。
【００３１】
切り替え制御部６０は、動き検出部８０が算出したパラメーターを用いて、フレームメモリー９１に記憶されたフレームデーター群が対象画像となるか否かを判断する（ステップＳ３）。なお、動き検出部８０が検出するパラメーターに応じて、切り替え制御部６０は、処理対象を判断する手法が異なるため、その詳細な説明は「実施例１」「実施例２」「実施例３」「実施例４」を用いて行う。
【００３２】
切り替え制御部６０から送信された切り替え信号によりフレームメモリー９１に記憶されたフレームデーター群が処理対象となる場合は（ステップＳ４）、倍速化処理部７０は、フレームデーター間に補間フレームデーターを挿入して倍速化処理を行なう（ステップＳ５）。この倍速化処理では、倍速化処理部７０は、フレームデーター間に補間フレームデーターを挿入するとともに、各フレームデーターの垂直同期信号及び水平同期信号の周期を変更する。
【００３３】
一方、切り替え制御部６０から送信された切り替え信号によりフレームメモリー９１に記憶されたフレームデーター群が処理対象外となる場合は（ステップＳ４）、倍速化処理部７０は、フレームデーター群に倍速化処理を行なわない。
【００３４】
フレームメモリー９１から表示パネル５０にフレームデーターが逐次出力されると（ステップＳ６）、表示パネル５０は入力されたフレームデーターを用いて映像を表示する（ステップＳ７）。このとき、表示パネル５０のタイミングコントローラー５２は、変更後の垂直同期信号及び水平同期信号に同期させてパネル部５１を駆動するための同期信号を生成する。そして、タイミングコントローラー５２は、生成した同期信号をドライバー５３に送信してパネル部５１を駆動させる。
【００３５】
１．１．実施例１：
以下、実施例１として、動き量として、フレームデーターにおける動画領域の「速度」により倍速化処理の実行の有無を判断する場合を説明する。この、実施例１では、動き検出部８０がフレームメモリー９１に記憶されたフレームデーター群から動画領域の「速度」を算出する場合に、切り替え制御部６０が実行する処理である。
【００３６】
図５は、図４に示すステップＳ３において切り替え制御部６０が実行する処理を説明するためのフローチャートである。切り替え制御部６０は、動き検出部８０が検出した「速度」に相当する速度パラメーター：Ｐｖを受信し（ステップＳ１１０）、受信した速度パラメーター：Ｐｖをしきい値：Ｓ１と比較する（ステップＳ１２０）。ここで、しきい値：Ｓ１は、６０Ｈｚのフレームレートに追随できない動画領域の速度を元に算出された値である。
【００３７】
ステップＳ１２０において、速度パラメーター：Ｐｖがしきい値：Ｓ１以上である場合は、切り替え制御部６０は、倍速化処理部７０に対応するフレームデーター群に対して倍速化処理を実行するよう切り替え信号を送信する（ステップＳ１３０）。
【００３８】
ステップＳ１２０において、速度パラメーター：Ｐｖがしきい値：Ｓ１以下である場合は、切り替え制御部６０は、倍速化処理部７０に切り替え信号を送信しない（ステップＳ１４０）。そのため、図４のステップＳ４において、倍速化処理部７０は、切り替え信号の受信の有無に応じて、フレームデーター群に対する倍速化処理の実行を切り替える。以上、実施例１を説明した。
【００３９】
１．２．実施例２：
以下、実施例２として、フレームデーターにおける動画領域の「速度」及び「面積」を用いて倍速化処理の実行の有無を判断する場合を説明する。図６は、実施例２に係る表示装置１００の処理を説明するための図である。「動画領域」における速度が６０Ｈｚに追従できない（速度が速い）場合でも、この「動画領域」の面積が小さい場合は、ユーザーの見た目に影響を及ぼすことはない。即ち、速度が速い動画像であっても、動画領域の面積が画面全体の中で小さいものであれば「動画領域」に対して倍速化処理を施さなくともユーザーの見た目に与える影響は小さいと考えることができる。そのため、実施例２では、動き検出部８０がフレームメモリー９１に記憶されたフレームデーター群から動画領域の「速度」及び「面積」を算出して、動画領域の面積が小さい場合は、消費電力を低減させることを優先するよう処理を実行する。
【００４０】
図７は、図４に示すステップＳ３において切り替え制御部６０が実行する処理を説明するためのフローチャートである。切り替え制御部６０は、動き検出部８０が検出した速度パラメーター：Ｐｖを受信する（ステップＳ２１０）。また、切り替え制御部６０は、動画領域の「面積」に相当する面積パラメーター：Ｐｓを受信する（ステップＳ２２０）。
【００４１】
切り替え制御部６０は、受信した速度パラメーター：Ｐｖと面積パラメーター：Ｐｓを、それぞれしきい値：Ｓ１としきい値：Ｓ２と比較する（ステップＳ２３０、Ｓ２４０）。ここで、しきい値：Ｓ２は、人が画面上で動画を認識する場合に、この動画が人の注意を引く面積に基づいて算出された値である。
【００４２】
ステップＳ２３０において速度パラメーター：Ｐｖがしきい値：Ｓ１以上であって、ステップＳ２４０において面積パラメーター：Ｐｓがしきい値：Ｓ２以上である場合は、切り替え制御部６０は、倍速化処理部７０に切り替え信号を送信して、このフレームデーター群に対して倍速化処理を実行させる（ステップＳ２５０）。
【００４３】
また、ステップＳ２３０において速度パラメーター：Ｐｖがしきい値：Ｓ１以上であっても、ステップＳ２４０において面積パラメーター：Ｐｓがしきい値：Ｓ２以下である場合は、切り替え制御部６０は、倍速化処理部７０に切り替え信号を送信しない。
【００４４】
同様に、ステップＳ２３０において、速度パラメーター：Ｐｖがしきい値：Ｓ１以下である場合は、切り替え制御部６０は、倍速化処理部７０に切り替え信号を送信しない。そのため、図４のステップＳ４において、倍速化処理部７０は、切り替え信号の受信の有無に応じて、フレームデーター群に対する倍速化処理の実行を切り替える。以上、実施例２を説明した。
【００４５】
１．３．実施例３：
以下、実施例３として、フレームデーターにおける動画領域の「速度」及び「輝度」を用いた切り替え制御部６０の処理を説明する。図８は、実施例３に係る表示装置１００の処理を説明するための図である。「動画領域」の速度が一定の値であっても、画面全体の「輝度」が低い場合、この「動画領域」の変化は、ユーザーの見た目に影響を与えることはない。そのため、実施例３では、動き検出部８０がフレームメモリー９１に記憶されたフレームデーター群から動画領域の「速度」及び画像全体での「輝度」を算出し、画像全体での輝度が低い場合は、消費電力を低減させることを優先するよう処理を実行する。
【００４６】
図９は、図４に示すステップＳ３において切り替え制御部６０が実行する処理を説明するためのフローチャートである。切り替え制御部６０は、動き検出部８０が検出した「速度パラメーター：Ｐｖを受信（ステップＳ３１０）する。また、切り替え制御部６０は、画面全体の「輝度」に相当する輝度パラメーター：Ｐｌを受信（ステップＳ３２０）する。
【００４７】
切り替え制御部６０は、受信した速度パラメーター：Ｐｖと輝度パラメーター：Ｐｌをそれぞれしきい値：Ｓ１としきい値：Ｓ３と比較する（ステップＳ３３０、Ｓ３４０）。ここで、しきい値：Ｓ３は、人が動画像を認識する場合に、注意を引く画面全体の輝度に基づいて算出された値である。
【００４８】
ステップＳ３３０において速度パラメーター：Ｐｖがしきい値：Ｓ１以上であって、ステップＳ３４０において輝度パラメーター：Ｐｌがしきい値：Ｓ３以上である場合は、切り替え制御部６０は、倍速化処理部７０にこのフレームデーター群に対して倍速化処理を実行するよう切り替え信号を送信する（ステップＳ３５０）。
【００４９】
また、ステップＳ３３０において速度パラメーター：Ｐｖがしきい値：Ｓ１以上であっても、ステップＳ３４０において輝度パラメーター：Ｐｌがしきい値：Ｓ３以下である場合は、切り替え制御部６０は、倍速化処理部７０に切り替え信号を送信しない（ステップＳ３６０）。
【００５０】
ステップＳ３３０において、速度パラメーター：Ｐｖがしきい値：Ｓ１以下である場合は、切り替え制御部６０は、倍速化処理部７０に切り替え信号を送信しない（ステップＳ３６０）。そのため、図４のステップＳ４において、倍速化処理部７０は、切り替え信号の受信の有無に応じて、フレームデーター群に対する倍速化処理の実行を切り替える。以上、実施例３を説明した。
【００５１】
１．４．実施例４：
以下、実施例４として、フレームデーターにおける動画領域の「速度」及びフレームデーター群の「コントラスト」を用いた切り替え制御部６０の処理を説明する。「動画領域」の速度が一定の値であっても、画面全体の「コントラスト」が低い場合、この「動画領域」の変化は、ユーザーの見た目に影響を与えることはない。そのため、実施例４では、動き検出部８０がフレームメモリー９１に記憶されたフレームデーター群から動画領域の「速度」及び画像全体の「コントラスト」を算出し、画像全体のコントラストが低い場合は、消費電力を低減させることを優先するよう処理を実行する。
【００５２】
なお、具体的な処理は、「実施例３」における「輝度」を「コントラスト」に置き換えればよいため、その具体的な説明は省略する。以上、実施例４を説明した。
【００５３】
２．第２の実施形態：
第２の実施形態に係る表示装置では、第１の実施形態に係る表示装置１００と比べて、以下の構成が異なる。即ち、まず、倍速化処理部７０は、全てのフレームデーター群に対して倍速化処理を行なう。また、倍速化処理されたフレームデーターは一旦フレームメモリー９１に記憶される。その後、切り替え制御部６０は、動き検出部８０による検出により倍速化処理の対象外となったフレームデーターに対してのみ同フレームデーターと対応する補間フレームデーターをフレームメモリー９１から選択して、表示パネル５０に出力する。
【００５４】
そのため、第２の実施形態では、切り替え制御部６０から倍速化処理部７０に対して切り替え信号が送信されない期間では、フレームメモリー９１に記憶された補間フレームデーターを選択せず、表示パネル５０を通常駆動させる。一方、切り替え制御部６０から倍速化処理部７０に対して切り替え信号が送信される期間では、フレームメモリー９１に記憶された補間フレームデーターが選択され、表示パネル５０を倍速駆動させる。
【００５５】
図１０は、第２の実施形態において、表示装置１００が実行する倍速駆動を説明するためのフローチャートである。入力ＩＦ９０は、外部から入力された映像データーを受信する（ステップＳ１１）。動き検出部８０は、フレームメモリー９１に記憶されたフレームデーター群から「動き量」を検出する（ステップＳ１２）。
【００５６】
切り替え制御部６０は、動き検出部８０が算出したパラメーターを用いて、フレームメモリー９１に記憶されたフレームデーター群が処理対象となるか否かを判断する（ステップＳ１３）。具体的な判断手法は上記した実施例１〜実施例４と同じである。
【００５７】
そして、倍速化処理部７０は、すべてのフレームデーター群に対して倍速化処理を実行する（ステップＳ１４）。
【００５８】
さらに、フレームメモリー９１から出力されるフレームデーターが倍速化処理の対象外である場合は（ステップＳ１５）、切り替え制御部６０は、倍速化処理部７０に切り替え信号を送信しない。そのため、倍速化処理部７０は、ステップＳ１４で生成された補間フレームデーターを選択することなくフレームデーターをフレームメモリー９１から表示パネル５０へ出力する（ステップＳ１６）。その結果、表示パネル５０は受信したフレームデーターを用いて、通常駆動を実行する（ステップＳ１８）。
【００５９】
一方、フレームメモリー９１から出力されるフレームデーターが倍速化処理の対象である場合は（ステップＳ１５）、切り替え制御部６０は、倍速化処理部７０に切り替え信号を送信する。そのため、倍速化処理部７０は、フレームデーター及びステップＳ１４で生成された対応する補間フレームデーターを選択し、表示パネル５０へ出力する（ステップＳ１７）。その結果、表示パネル５０は、受信したフレームデーター及び補間フレームデーターを用いて、倍速駆動を実行する（ステップＳ１８）。
以上、第２の実施形態を説明した。
【００６０】
３．その他の実施形態：
本発明は様々な変形例が存在する。
切り替え制御部６０における処理対象となるフレームデーター群の判断と、倍速化処理部７０における倍速化処理とは、同期していなくともよい。即ち、切り替え制御部６０における最初の判断から数フレーム遅延したフレームデーターから処理がスタートされる構成であってもよい。
【００６１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６２】
５０…表示パネル、５１…パネル部、５２…タイミングコントローラー、５３…ドライバー、６０…切り替え制御部、７０…倍速化処理部、８０…動き検出部、９０…入力ＩＦ、９１…フレームメモリー、１００…表示装置
【図１】
2011013473.tif 000003
【図２】
2011013473.tif 000004
【図３】
2011013473.tif 000005
【図４】
2011013473.tif 000006
【図５】
2011013473.tif 000007
【図６】
2011013473.tif 000008
【図７】
2011013473.tif 000009
【図８】
2011013473.tif 000010
【図９】
2011013473.tif 000011
【図１０】
2011013473.tif 000012